(57)【要約】      （修正有）【課題】ヒートパイプによる熱伝導を活用した高省エネウォーターサーバーを提供する。【解決手段】内部に燃料が収納された加熱筒２８を有し、加熱筒２８は、内部に、加熱器３４が設置されて、加熱筒内の燃料を加熱し、上記加熱筒の周りに、水液を収納されるための容器が設置され、容器と加熱筒との間において、ヒートパイプ４２，４３，４５が設置されて、燃料の熱量が、容器内の水液に伝導されて加熱する。ウォーターサーバー１０は、更に、燃料の温度を冷却する熱交換器を有する。また、原水は、まず、熱交換器を通して予熱された後、容器内に導入されて加熱され、高省エネルギーの効果が実現される。【選択図】図２
0003159007.tif 000002
【実用新案登録請求の範囲】
【請求項１】
内部に收納空間が形成されるハウジングと、
上記ハウジングの收納空間に設置され、加熱筒があり、上記加熱筒内に燃料が充填され、上記加熱筒内に、上記燃料に対して加熱する加熱器が設けられる加熱ユニットと、
水を流通させる第一容器があり、上記加熱筒の外側に設置され、上記第一容器が、第一端と第二端を有し、上記第一容器内の水を排出するため、上記第一容器の第二端が、出水管に連通される容器ユニットと、
複数の第一ヒートパイプを有し、上記複数の第一ヒートパイプが、それぞれ、上記加熱筒と上記第一容器との間に配置され、上記加熱筒内の燃料温度を伝導して上記第一容器内の水を加熱する熱伝導ユニットと、
第一熱交換器を有し、上記加熱筒内の燃料温度を冷却する冷却ユニットと、
上記第一熱交換器に貫通し、内端を有し、上記内端が、上記第一容器の第一端に接合され、水が、上記進水管から上記第一容器に供給されて加熱する進水管と、
ことを特徴とする高省エネウォーターサーバー。
【請求項２】
上記加熱ユニットは、更に、複数の互いに連通される燃料筒を有し、上記複数の燃料筒が、垂直方向に沿って、間を置いて、上記加熱筒の上側に配置され、その一つの燃料筒が、上記加熱筒に連通され、また、各燃料筒内に上記燃料が充填され、上記容器ユニットは、更に、複数の互いに連通される第二容器を有し、上記複数の第二容器が、間を置いて、それぞれ、上記複数の燃料筒の外側に配置され、上記第一容器が、径方向に囲むように、上記加熱筒の外側に配置され、各第二容器が、径方向に囲むように、対応する燃料筒の外側に配置され、その一つの第二容器が、上記第一容器に連通され、もう一つの第二容器が、上記出水管に連通され、上記第一容器内の水が、各第二容器を流して上記出水管から排出され、上記熱伝導ユニットは、更に、複数の第二ヒートパイプと複数の第三ヒートパイプを有し、上記複数の第二ヒートパイプが、それぞれ、各燃料筒と、周りにあり、対応する第二容器との間に配置され、上記複数の第三ヒートパイプが、それぞれ、上記加熱筒とその一つの燃料筒との間に、そして、隣り合う二つの燃料筒の間に配置されることを特徴とする請求項１に記載の高省エネウォーターサーバー。
【請求項３】
上記燃料は、燃料油であり、上記第一容器と上記複数の第二容器の内部に、水が充填され、各第一ヒートパイプは、内部に、超伝導液体が充填されたパイプ体で、上記加熱筒内までに伸びた第一端と、第一容器内までに伸びた第二端とを有し、各第二ヒートパイプは、内部に、超伝導液体が充填されたパイプ体で、燃料筒内までに伸びた第一端と、第二容器内までに伸びた第二端とを有し、各第三ヒートパイプは、内部に、超伝導液体が充填されたパイプ体であることを特徴とする請求項２に記載の高省エネウォーターサーバー。
【請求項４】
上記燃料は、燃料油であり、上記第一容器と上記複数の第二容器は、内部に、燃料油が充填され、また、上記第一容器と上記複数の第二容器内において、それぞれ、連通された水管が設置され、上記第一容器内の水管と上記進水管とが接続され、外部の水が、上記進水管を介して、上記第一容器内へ流れ込み、また、その一つの第二容器内の水管が、上記出水管に接続され、各第一ヒートパイプは、内部に、超伝導液体が充填されたパイプ体で、上記加熱筒内までに伸びた第一端と、第一容器内までに伸びた第二端とを有し、各第二ヒートパイプは、内部に、超伝導液体が充填されたパイプ体で、燃料筒内までに伸びた第一端と、第二容器内までに伸びた第二端とを有し、各第三ヒートパイプは、内部に、超伝導液体が充填されたパイプ体であることを特徴とする請求項２に記載の高省エネウォーターサーバー。
【請求項５】
上記第一容器と上記複数の第二容器内の水管は、螺旋状に形成され、上記第一容器の第一端内の水管の一端が、上記進水管に接続され、上記第一容器の第二端内の水管のもう一端が、第一管路を介して、その一つの第二容器内の水管の一端に連通され、上記複数の第二容器内の各水管同士は、第二管路によって連通され、上記容器ユニットは、更に、上記複数の第二容器と上記第一容器とを連結する、縦方向に伸びた複数の支柱があり、上記第一管路と上記第二管路とが、上記複数の支柱内に位置することを特徴とする請求項４に記載の高省エネウォーターサーバー。
【請求項６】
上記冷却ユニットは、更に、燃料管とモータ及び第二熱交換器が備えられ、上記燃料管は、上記加熱筒とその一つの燃料筒との間に接続され、上記モータと上記燃料管とが、操作により、接続され、上記第一熱交換器は、上記モータと上記加熱筒との間に接続され、上記燃料管により連通され、上記第二熱交換器は、上記モータと上記上燃料筒との間に接続され、上記燃料管により連通され、上記モータが駆動される時、上記加熱筒内の燃料が、上記第一と上記第二熱交換器を介して、上記燃料筒内へ流れ込み、また、上記進水管の内端が、上記第一と第二熱交換器を貫通して上記第一容器に接続されることを特徴とする請求項４に記載の高省エネウォーターサーバー。
【請求項７】
更に、制御ユニットがあり、上記制御ユニットは、上記加熱ユニットの加熱器と上記冷却ユニットのモータに、それぞれ、電気的に接続されて、上記加熱器と上記モータとのオンやオフを制御でき、上記冷却ユニットは、更に、第三熱交換器があり、上記第三熱交換器は、上記第二熱交換器と上記上燃料筒との間に設置され、上記燃料管により連通され、上記進水管の内端が、順に上記第二、第三及び第一熱交換器を貫通した後、更に、上記第一容器の第一端に接続されることを特徴とする請求項６に記載の高省エネウォーターサーバー。
【請求項８】
上記加熱器は、高周波加熱装置であり、各第一ヒートパイプの第二端と第一端が、ほぼ３０度で上へ傾斜し、また、上記第二端上に、複数のフィンが設けられ、各第二ヒートパイプの第二端と第一端が、ほぼ３０度で上へ傾斜し、上記第二端上に、複数のフィンが設けられることを特徴とする請求項６に記載の高省エネウォーターサーバー。
【考案の詳細な説明】
【技術分野】
【０００１】
本考案は、ウォーターサーバーに関し、特に、ヒートパイプによる熱伝導で、快速的に熱水を供給でき、また、省エネと二酸化炭素排出低減の効果が得られるウォーターサーバーに関する。
【背景技術】
【０００２】
ウォーターサーバーやボイラーにより供給される大量の熱水は、学校や病院、ホテル、事務所建築、工場、軍営及び飲食業界の洗浄や食品業界の食品加工に多く利用される。従来のウォーターサーバーは、実用上、以下の欠点があり、例えば、ガスや天然ガスによって加熱する場合、燃焼不完全による一酸化炭素中毒になる恐れがあり、電力による加熱する場合、加熱速度が遅く、熱損失が高いなどの問題があって、電力の無駄や環境汚染を招致する。
【０００３】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００４】
本考案の目的は、より少ない電力で、燃料を加熱し、また、ヒートパイプによる熱伝導により、加熱効率を向上させ、快速的に熱水を供給でき、安全や省エネ及び二酸化炭素排出低減等の要求に満たす高省エネウォーターサーバーを提供する。
【課題を解決するための手段】
【０００５】
本考案は、ハウジングと加熱ユニット、容器ユニット、熱伝導ユニット、冷却ユニット及び進水管が備えられ、加熱ユニットが、ハウジング内に設けられ、加熱筒を有し、加熱筒内に、液態燃料が充填され、内部にある加熱器で、燃料を加熱し、容器ユニットが、原水を流す容器であり、上記容器が、リング状に、加熱筒の径方向の外側に配置され、上記容器に、水管が連通されて、容器内の水を排出し、熱伝導ユニットが、複数のヒートパイプを有し、ヒートパイプが、加熱筒と容器との間に配置され、加熱筒内の燃料温度を容器内の水へ伝導して加熱し、冷却ユニットが、加熱筒内の燃料を冷却する、少なくとも一つの熱交換器を有し、進水管が、容器に連通され、外部の水が、進水管を介して、容器内に流れ込んで加熱するウォーターサーバーである。
【０００６】
以下、図面を参照しながら、より良い実施例を挙げて、本考案の特徴や技術内容について、詳しく説明するが、それらの図面等は、参考や説明のためであり、本考案は、それによって制限されることが無い。
【考案を実施するための最良の形態】
【０００７】
図１乃至図４を参照しながら、本考案に係る第一実施例のウォーターサーバー１０は、ハウジング１２と加熱ユニット１４、容器ユニット１５、熱伝導ユニット１６、冷却ユニット１８、制御ユニット２０及び進水管２４を有する。ハウジング１２は、内部に、收納空間２１を有し、ハウジング１２の外表面に、ユーザーが、必要とする熱水温度を設定できるマン‐マシンインターフェース２２が設けられる（例えば、図１の８０度である）。
【０００８】
加熱ユニット１４は、ハウジング１２の收納空間２１内に収納され、加熱筒２８を有し、加熱筒２８内に、燃料３０が充填され、本実施例において、燃料３０が、液態油で、例えば、２００−１０００度の範囲内の高温まで加熱できる。燃料３０が、加熱筒２８の直上に位置する燃料タンク３２から、加熱筒２８内へ供給される。加熱筒２８内に、加熱器３４が設けられ、本実施例において、加熱器３４が、高周波加熱装置であり、発生する高周波で、素早く加熱筒２８内の液態燃料３０を加熱できる。加熱筒２８は、二つのフランジ３６を有する継ぎ手の筒状ケーシングを対向させて接続するからなり、これにより、加熱筒２８の取り外しや組立てが、簡単になる。
【０００９】
加熱ユニット１４は、更に、複数の燃料筒５０を有し、上記複数の燃料筒５０は、垂直方向に沿って、間を置いて、加熱筒２８と燃料タンク３２との間において、加熱筒２８の直上に位置する。上記複数の燃料筒５０は、上燃料筒５０と下燃料筒５０及び上、下燃料筒５０の間に位置する二つの中間燃料筒５０を有する。各燃料筒５０の上部と底部に、それぞれ、開口され（符号を付せず）、また、隣り合う二つの燃料筒５０の間に、例えば、フランジ型継ぎ手５２によって連通される。上燃料筒５０の上部に、燃料タンク３２が連通され、下燃料筒５０の底部に、加熱筒２８が連通され、これにより、燃料タンク３２内の燃料３０が、各燃料筒５０と加熱筒２８内へ供給できる。上燃料筒５０が、膨張管５３を介して膨張槽５４に接続され、膨張槽５４により、燃料筒５０内の高温によって膨張して溢れる燃料３０を收納でき、膨張槽５４上に、ユーザーが温度を観察できる温度計５６が設置される。加熱筒２８と各燃料筒５０上に、ユーザーが加熱筒２８と燃料筒５０内の燃料３０温度を観察できる温度計（未図示）が設置されてもよい。
【００１０】
容器ユニット１５は、第一容器３８を有し、第一容器３８は、ほぼリング状に、加熱筒２８の径方向の外側に配置されて、加熱筒２８が、第一容器３８の中央に位置する（図４のように）。第一容器３８は、第一端３８１と第二端３８２及び第一端３８１と第二端３８２との間にある中間部分３８３を有し、第一端３８１と第二端３８２は、周り方向に間を置いて隔離され、中間部分３８３により連通される。第一端３８１と第二端３８２は、それぞれ、円弧管から構成され、中間部分３８３は、継ぎ手４０によって接続された二つの円弧管を有し、第一端３８１と第二端３８２の間に、それぞれ、継ぎ手４０により接続されて連通される。第一容器３８の第二端３８２に、出水管２６が連通され、出水管２６の一端が、ハウジング１２の外側まで伸び、例えば、蛇口の給水装置（未図示）に接続され、これにより、第一容器３８内へ流れた水２５が、出水管２６により排出される。
【００１１】
容器ユニット１５は、更に、上記垂直方向に沿って、間を置いて、隔離された複数の第二容器５８を有し、各第二容器５８は、ほぼリング状に、燃料筒５０の径方向の外側に配置され、各燃料筒５０が、第二容器５８の中央に位置するようになる。各第二容器５８は、第一端５８１と第二端５８２及び第一端５８１と第二端５８２との間に位置する中間部分５８３を有し、第一端５８１と第二端５８２は、周り方向において、隔離されて、中間部分５８３によって連通される。第一端５８１と第二端５８２は、それぞれ、円弧管から構成され、中間部分５８３は、第一端５８１と第二端５８２の間に、それぞれ、継ぎ手により接続されて連通される。上記複数の第二容器５８の第一端５８１と第二端５８２及び中間部分５８３は、それぞれ、第一容器３８の第一端３８１と第二端３８２及び中間部分３８３の直上に位置する。下燃料筒５０の周りにある第二容器５８の第二端５８２と第一容器３８の第二端３８２との間、第一管路６２によって連通され、また、上下隣り合う二つの第二容器５８の第一端５８１や第二端５８２の間、第一管路６２によって連通され、これにより、第一容器３８内へ流れ込んだ水２５が、第一管路６２に沿って、下から上へ、順に、上記複数の第二容器５８を通し、図３の矢印６０のようである。上燃料筒５０の周りにある第二容器５８の第二端５８２が、出水管２６に連通されるため、上記複数の第二容器５８内へ流れ込んだ水２５が、出水管２６から排出される。容器ユニット１５は、更に、縦方向に伸び、上記複数の第二容器５８と第一容器３８とを接続する複数の支柱６８を有する。支柱６８の下端が、第一容器３８の下方まで伸びて固定される。第一管路６２は、対応する支柱６８内に位置する。
【００１２】
熱伝導ユニット１６は、複数の第一ヒートパイプ４２を有し、各第一ヒートパイプ４２は、内部に、超伝導液体が充填され、高温を耐える金属管である。上記複数の第一ヒートパイプ４２は、加熱筒２８と各第一容器３８との間に配置される。加熱筒２８と第一容器３８の第一端３８１と第二端３８２及び中間部分３８３の二つの円弧管との間において、それぞれ、三つの隔離された第一ヒートパイプ４２が配置され、各第一ヒートパイプ４２は、加熱筒２８内まで伸びた第一端４４と第一容器３８内まで伸びた第二端４６を有し、第二端４６は、第一端４４に対して、約３０度に上へ傾斜する。第二端４６上に、複数のシート状フィン４８が設けられるため、第一ヒートパイプ４２の実装体積を低下するだけでなく、第一ヒートパイプ４２の熱伝導効果が向上される。
【００１３】
熱伝導ユニット１６は、更に、複数の第二ヒートパイプ４３を有し、上記複数の第二ヒートパイプ４３は、それぞれ、各燃料筒５０と第二容器５８の第一端５８１と第二端５８２及び中間部分５８３との間に配置され、各第二ヒートパイプ４３は、燃料筒５０内まで伸びた第一端４４と第二容器５８内まで伸びた第二端４６とを有し、第二端４６上には、複数のシート状フィン４８が設置される。熱伝導ユニット１６は、更に、複数の第三ヒートパイプ４５を有し、各第三ヒートパイプ４５の構造は、第一ヒートパイプ４２と同じ、上記複数の第三ヒートパイプ４５は、加熱筒２８と下燃料筒５０との間及び隣り合う二つの燃料筒５０の間に配置され、各第三ヒートパイプ４５の一端が、燃料筒５０内間で伸び、複数のシート状フィン４８を有する。
【００１４】
冷却ユニット１８は、燃料管６９とモータ７２、第一熱交換器７０、第二熱交換器７３及び第三熱交換器７４を有する。燃料管６９は、加熱筒２８と上燃料筒５０との間に接続され、モータ７２と燃料管６９とが、操作により、接続されることができ、そのため、モータ７２を駆動する時、加熱筒２８内の燃料３０が、燃料管６９を介して上燃料筒５０内へ流れ込む。第一熱交換器７０は、モータ７２と加熱筒２８との間に設置され、燃料管６９によって連通され、第一熱交換器７０と加熱筒２８との間に、逆止め弁７６が設置され、なた、第二と第三熱交換器７３、７４は、順に、モータ７２と上燃料筒５０との間に設置されて、燃料管６９によって連通される。モータ７２が駆動される時、加熱筒２８内の燃料３０は、図２に示された矢印７７の方向で、第一と第二及び第三熱交換器７０、７３、７４内を通して熱交換を行い、多段式の冷却を形成し、そして、加熱筒２８と上記複数の燃料筒５０内の燃料３０は、循環的に流動できる。
【００１５】
制御ユニット２０は、ハウジング１２内に設置され、加熱ユニット１４の加熱器３４と冷却ユニット１８のモータ７２が、それぞれ、電気的に接続されるため、加熱器３４とモータ７２のオンやオフを制御でき、これにより、出水管２６から排出された水が、所定の温度に制御されることができる。
【００１６】
進水管２４の外端２４１が、ハウジング１２の外側まで伸び、また、例えば、給水塔の貯水装置（未図示）に接続され、進水管２４の内端２４２が、第一容器３８の第一端３８１に接続され、原水２５は、進水管２４を介して第一容器３８内へ供給されて加熱されることができる。進水管２４は、第二と第三及び第一熱交換器７３、７４、７０に貫通し、即ち、進水管２４の内端２４２は、順に第二と第三及び第一熱交換器７３、７４、７０に貫通した後、第一容器３８の第一端３８１に接続され、そのため、進水管２４を通す原水２５は、まず、第二と第三及び第一熱交換器７３、７４、７０を経由して熱交換を行って熱エネルギーを吸收した後、第一容器３８内へ導入される。
【００１７】
以下、ウォーターサーバー１０の操作に対して、概略に説明する。水２５が、進水管２４を介して第一容器３８へ流れ込んだ後、下から上へ順に上記複数の第二容器５８を経由して出水管２６から排出され、水２５が流動する過程において、加熱筒２８内の燃料３０の温度が、第一ヒートパイプ４２を介して第一容器３８内部にある水２５へ伝導されて加熱し、また、第三ヒートパイプ４５により、燃料筒５０内の燃料３０へ伝導されて加熱し、そして、各燃料筒５０内の燃料３０の温度が、第二ヒートパイプ４３により、周りの第二容器３８の内部にある水２５へ伝導されて加熱し、そのため、第一容器３８と第二容器５８の内部を通す水２５が、快速的に加熱されて熱水になる。また、第一容器３８と第二容器５８の内部にある水２５は、温度が、設定された排出温度より高い場合、モータ７２が駆動されるため、加熱筒２８と燃料筒５０内の燃料３０が、第一熱交換器７０と第二熱交換器７３を流れ、循環的に冷却することにより温度が低下され、そのため、出水管２６から排出された熱水は、所定の温度で、供給される。
【００１８】
本考案に係るウォーターサーバー１０は、高周波加熱器３４が、小電流で加熱筒２８内の僅かの燃料３０を快速的に２００−１０００度の高温に加熱し、また、拡大された熱伝導面を有する第一ヒートパイプ４２と第二ヒートパイプ４３及び第三ヒートパイプ４５により、燃料３０の高温が、素早く第一容器３８と第二容器５８内の水２５に伝導されて加熱し、また、原水２５は、まず、熱交換器７０、７３、７４を通すため、段階的に熱エネルギーを回收して予熱した後、上記第一容器３８内へ導入され、加熱効率が向上されるだけでなく、大幅に、エネルギーの損失が低減され、より少ない加熱エネルギー源により、高温熱水の排出が実現され、省エネ、そして、二酸化炭素排出低減及び高安全性の効果が得られる。また、ウォーターサーバー１０の構造は、管路長さを短縮することと、より大きい口径の管路に適用することに、有利であり、材料の節約や製造コストの低下などの利点が得られる。
【００１９】
図５乃至図７は、本考案に係る第二実施例のウォーターサーバー１０である。上記実施例のウォーターサーバー１０は、第一実施例との異なる箇所は、容器ユニット１５の第一容器３８と第二容器５８内に、水２５でなく、燃料３０が充填されることにあり、その中、上燃料筒５０と周りにある第二容器５８との間に、導管８４によって連通され（図５のように）、下燃料筒５０の周りにある第二容器５８と第一容器３８との間において、第二管路８２によって連通され、上下隣り合う第二容器５８の間に、第二管路８２によって連通され、これにより、燃料タンク３２内の燃料３０は、導管８４と第二管路８２を経由して、第二容器５８と第一容器３８内へ供給される。また、容器ユニット１５の第一容器３８と第二容器５８内において、それぞれ、水管８０が設置され、各水管８０が、螺旋状金属管からなり、第一容器３８内の水管８０は、第一端３８１内の一端が、進水管２４の内端２４２に接続され、第一容器３８内の水管８０は、第二端３８２内のもう一端が、第三管路８１を介して、下燃料筒５０の周りにある第二容器５８内の水管８０一端に連通され、また、上記複数の第二容器５８内の各水管８０の間において、第三管路８１によって連通され、そして、上燃料筒５０の周りにある第二容器５８内の水管８０の一端が、出水管２６に接続され、これにより、進水管２４から第一容器３８内へ導入される水２５は、第一容器３８の水管８０と第三管路８１に沿って、第二容器５８内の水管８０を通し、最後に、出水管２６から排出される。また、図７のように、第三管路８１と第二管路８２は、対応する支柱６８内に位置する。
【００２０】
上記実施例のウォーターサーバー１０は、作動する時、加熱筒２８内の燃料３０温度が、第一ヒートパイプ４２と第二ヒートパイプ４４及び第三ヒートパイプ４５を介して、快速的に、第一容器３８と第二容器５８及び燃料筒５０内的燃料３０へ伝導されて加熱し、これにより、第一容器３８や上記複数の第二容器５８内の水管８０を流通する水２５が、第一容器３８と第二容器５８及び燃料筒５０内の燃料３０の温度が、快速的に、加熱され、そのため、より少ない加熱エネルギー源で、高温熱水が、排出されることができる。
【００２１】
そのため、本考案は、より進歩的かつより実用的で、法に従って実用新案登録請求を出願する。
【００２２】
以上の本考案の構造のより良い実施例について、説明したが、本考案は、それによって制限されることなく、いろんな変更や修正ができ、例えば、加熱器３４は、マイクロウェーブを放射する加熱装置でもよく、高周波加熱装置に限定されることなく、また、進水管２４は、一部の熱交換器だけを通してもよい。そのため、本技術分野の熟練者により、本考案に係わる考案登録請求の範囲や明細書の内容に基づいて行った等価の変更や修正は、全てが、本考案の考案登録請求の範囲内に含まれる。
【図面の簡単な説明】
【００２３】
【図１】本考案に係る第一実施例のウォーターサーバーの立体図
【図２】図１のウォーターサーバーの構造概念図
【図３】図２のウォーターサーバーの局部素子の立体図
【図４】図２の４−４線に沿う断面図
【図５】本考案に係る第二実施例のウォーターサーバーの概念図
【図６】図５の６−６線に沿う断面図
【図７】図５の局部放大の断面図
【符号の説明】
【００２４】
１０    ウォーターサーバー
１２    ハウジング
１４    加熱ユニット
１５    容器ユニット
１６    熱伝導ユニット
１８    冷却ユニット
２０   
制御ユニット
２１    收納空間
２２    マン‐マシンインターフェース
２４    進水管
２４１  外端
４２    内端
２５    水
２６    出水管
２８    加熱筒
３０    燃料
３２    燃料タンク
３４    加熱器
３６    フランジ
３８    第一容器
３８１、５８１  第一端
３８２、５８２  第二端
３８３、５８３  中間部分
４０    継ぎ手
４２、４３、４５  ヒートパイプ
４４    第一端
４６    第二端
４８    フィン
５０    燃料筒
５２    継ぎ手
５３    膨張管
５４    膨張槽
５６    温度計
５８    第二容器
６０    矢印
６２、８１、８２  管路
６８    支柱
６９    燃料管
７０    第一熱交換器
７２    モータ
７３    第二熱交換器
７４    第三熱交換器
７６    逆止め弁
７７    矢印
８０    水管
８４    導管
【図１】
0003159007.tif 000003
【図２】
0003159007.tif 000004
【図３】
0003159007.tif 000005
【図４】
0003159007.tif 000006
【図５】
0003159007.tif 000007
【図６】
0003159007.tif 000008
【図７】
0003159007.tif 000009
【手続補正書】
【提出日】平成22年3月2日(2010.3.2)
【手続補正１】
【補正対象書類名】実用新案登録請求の範囲
【補正対象項目名】請求項３
【補正方法】変更
【補正の内容】
【請求項３】
上記燃料は、燃料油であり、上記第一容器と上記複数の第二容器の内部に、水が充填され、各第一ヒートパイプは、内部に、伝導液体が充填されたパイプ体で、上記加熱筒内までに伸びた第一端と、第一容器内までに伸びた第二端とを有し、各第二ヒートパイプは、内部に、伝導液体が充填されたパイプ体で、燃料筒内までに伸びた第一端と、第二容器内までに伸びた第二端とを有し、各第三ヒートパイプは、内部に、伝導液体が充填されたパイプ体であることを特徴とする請求項２に記載の高省エネウォーターサーバー。
【手続補正２】
【補正対象書類名】実用新案登録請求の範囲
【補正対象項目名】請求項４
【補正方法】変更
【補正の内容】
【請求項４】
上記燃料は、燃料油であり、上記第一容器と上記複数の第二容器は、内部に、燃料油が充填され、また、上記第一容器と上記複数の第二容器内において、それぞれ、連通された水管が設置され、上記第一容器内の水管と上記進水管とが接続され、外部の水が、上記進水管を介して、上記第一容器内へ流れ込み、また、その一つの第二容器内の水管が、上記出水管に接続され、各第一ヒートパイプは、内部に、伝導液体が充填されたパイプ体で、上記加熱筒内までに伸びた第一端と、第一容器内までに伸びた第二端とを有し、各第二ヒートパイプは、内部に、伝導液体が充填されたパイプ体で、燃料筒内までに伸びた第一端と、第二容器内までに伸びた第二端とを有し、各第三ヒートパイプは、内部に、伝導液体が充填されたパイプ体であることを特徴とする請求項２に記載の高省エネウォーターサーバー。
【手続補正３】
【補正対象書類名】明細書
【補正対象項目名】００１２
【補正方法】変更
【補正の内容】
【００１２】
熱伝導ユニット１６は、複数の第一ヒートパイプ４２を有し、各第一ヒートパイプ４２は、内部に、熱をよく伝える物質である液体、即ち、伝導液体が充填され、高温を耐える金属管である。上記複数の第一ヒートパイプ４２は、加熱筒２８と各第一容器３８との間に配置される。加熱筒２８と第一容器３８の第一端３８１と第二端３８２及び中間部分３８３の二つの円弧管との間において、それぞれ、三つの隔離された第一ヒートパイプ４２が配置され、各第一ヒートパイプ４２は、加熱筒２８内まで伸びた第一端４４と第一容器３８内まで伸びた第二端４６を有し、第二端４６は、第一端４４に対して、約３０度に上へ傾斜する。第二端４６上に、複数のシート状フィン４８が設けられるため、第一ヒートパイプ４２の実装体積を低下するだけでなく、第一ヒートパイプ４２の熱伝導効果が向上される。